(57)【特許請求の範囲】
【請求項１】
レールに吊設されて走行自在な巻上装置と、該巻上装置で巻き上げ，巻き下げされる吊りベルトと、この吊りベルトに接続手段を介して取り付けられ被介護者を吊り具で吊るハンガーを有する介護装置であって、この介護装置のハンガーの略中央部に弾性のあるゴム製のハンガーカバーを装着するものにおいて、
前記ハンガーカバーは、ハンガーの外径より大きい内径を有する円筒状のゴム製から成り、ハンガーを接続手段に接続するハンガー支持金具を挿通する挿通孔と、該挿通孔の対向側を軸線方向に切断した切断部を設けて形成し、切断部をゴムの弾性に抗して開いてハンガーを挿入し、挿通孔にハンガー支持金具を挿通し、該支持金具を接続手段と接続するようにしたことを特徴とする介護装置。
【請求項２】
レールに吊設されて走行自在な巻上装置と、該巻上装置で巻き上げ，巻き下げされる吊りベルトと、この吊りベルトに接続手段を介して取り付けられ被介護者を吊り具で吊るハンガーを有する介護装置であって、この介護装置のハンガーの略中央部に弾性のあるゴム製のハンガーカバーを装着するものにおいて、
前記ハンガーカバーは、ハンガーの外径より大きい内径を有する円筒状のゴム製から成り、ハンガーを接続手段に接続するハンガー支持金具を挿通する挿通孔と、該挿通孔の中心部から周方向に半円状に切断した周切断部と、この周切断部の両切断端から、軸線方向で互いに反対方向に切断した軸線方向切断部を設けて形成し、両方の軸線方向切断部をゴムの弾性に抗して開いてハンガーを挿入し、ハンガー支持金具は２分された挿通孔で挾持するようにしたことを特徴とする介護装置。
【発明の詳細な説明】
【０００１】
【発明の属する技術分野】
本発明は患者や身体の不自由な被介護者をベッド等から車椅子又は浴場等に移動させる介護装置に関し、特に、被介護者を吊るハンガー部の改良に関する。
【０００２】
【従来の技術】
高齢者や患者等で身体的にハンデキャップを持った人の介護、又は自立支援器具として被介護者を吊り上げて移動する介護装置がある。図４はこの介護装置の概略図で、架設されたレール１に電動又は手動で走行自在に吊設された巻上装置２を設け、この巻上装置２から引き出された吊りベルト（又はロープ）３にハンガー４を取り付けて、この吊りベルト３を巻上装置２内に設けてある巻き胴により巻き上げ，巻き下げを行い、ハンガー４に被介護者Ｍを吊って上昇，下降させる。
【０００３】
巻き胴は巻上装置２内の電動機で回転駆動され、上昇，下降の操作は、操作スイッチ５を操作することにより、電動機の回転方向を正転・逆転切換えて行う。
【０００４】
６は接続手段で、吊りベルト３とハンガー４とを接続する。この接続手段６は、例えば、吊りベルト３の先端にケースを固着し、ハンガー４にはハンガー支持金具等を設けて、この支持金具をケースにねじ等の取付手段で取り付ける。
【０００５】
なお、同図において、７および８は被介護者をハンガー４に吊る帯状の吊り具で、例えば、丈夫で柔らかい布製から成り被介護者の尻部を２ケ所で安全に支える。
【０００６】
【発明が解決しようとする課題】
このような介護装置は、一般家庭で使用される場合が多いので、昇降距離，移動時の振れを考慮して吊り具は極力短くされている。このことから、被介護者の頭部が、ハンガー４の位置と近接し、被介護者を移動する際の揺れで被介護者の頭部がハンガー４に当たる場合がある。このハンガー４はステンレス鋼で製作されているので、強く当たると痛みを感じるばかりでなく、損傷の恐れもあり、被介護者に不安感を与える。
【０００７】
かかる点に鑑み、本発明は、被介護者の頭部がハンガーに当たっても衝撃を緩衝して危険性が生じないようにした、ハンガーを備えた介護装置を提供することを目的とする。
【０００８】
【課題を解決するための手段】
本発明において、上記の課題を解決するための手段は、レールに吊設されて走行自在な巻上装置と、該巻上装置で巻き上げ，巻き下げされる吊りベルトと、この吊りベルトに接続手段を介して取り付けられ被介護者を吊り具で吊るハンガーを有する介護装置であって、この介護装置のハンガーの略中央部に弾性のあるゴム製のハンガーカバーを装着するものにおいて、
前記ハンガーカバーは、ハンガーの外径より大きい内径を有する円筒状のゴム製から成り、ハンガーを接続手段に接続するハンガー支持金具を挿通する挿通孔と、該挿通孔の対向側を軸線方向に切断した切断部を設けて形成し、切断部をゴムの弾性に抗して開いてハンガーを挿入し、挿通孔にハンガー支持金具を挿通し、該支持金具を接続手段と接続することにより、被介護者のとうぶにが当たっても衝撃を緩衝して危険性を防止し、且つ使用中にはハンガーカバーが外れないようにしたものである。
【００１０】
レールに吊設されて走行自在な巻上装置と、該巻上装置で巻き上げ，巻き下げされる吊りベルトと、この吊りベルトに接続手段を介して取り付けられ被介護者を吊り具で吊るハンガーを有する介護装置であって、この介護装置のハンガーの略中央部に弾性のあるゴム製のハンガーカバーを装着するものにおいて、
前記ハンガーカバーは、ハンガーの外径より大きい内径を有する円筒状のゴム製から成り、ハンガーを接続手段に接続するハンガー支持金具を挿通する挿通孔と、該挿通孔の中心部から周方向に半円状に切断した周切断部と、この周切断部の両切断端から、軸線方向で互いに反対方向に切断した軸線方向切断部を設けて形成し、両方の軸線方向切断部をゴムの弾性に抗して開いてハンガーを挿入し、ハンガー支持金具は２分された挿通孔で挾持することによって、使用中でもハンガーカバーを容易に取り付け、取り外しができるようにしたものである。
【００１１】
【発明の実施の形態】
以下、本発明の実施の形態を図面によって説明する。
【００１２】
図１は本発明の介護装置のハンガー部の詳細な説明図で、その（Ａ）は正面図、（Ｂ）は側面図を示す。図１において、４はハンガーで、ステンレス製のパイプから成り、その両端側は下方に曲げられ、その先端部には、吊り具７，８を引っ掛ける吊りフック４ａ，４ｂを有し、また、中央部には、接続手段９と接続するハンガー支持金具４ｃが設けられている。９はハンガー４の支持金具４ｃと吊りベルト３とを接続する接続手段で、吊りベルト３はケース９ａに取り付けられ、支持金具４ｃは、このケース９にねじ等の固着手段で取り付けられる。
【００１３】
なお、図４と同一部分又は相当部分には、これと同じ符号を付して説明を省略する。
【００１４】
しかして、本発明は、上記のハンガー４の略中央部に、天然ゴム等の弾性のあるハンガーカバー１０を設けたものである。このように、ハンガーカバー１０を設けることにより、被介護者の頭部が当たっても、頭部に加わる衝撃は緩和され、頭部に痛みを感じたり損傷したりすることは無くなる。
【００１５】
このハンガーカバー１０は取り付け易く構成される。図２はこのハンガーカバー１０の第１の実施の形態の説明図で、その（Ａ）は正面図、（Ｂ）は側面図を示している。
【００１６】
ハンガーカバー１０は図２に示すように、所定の長さを持った円筒状からなり、材質は弾力性のある天然ゴム等からなる。そして、長さ中央部には、ハンガー４の支持金具４ｃが挿通される挿通孔１１を設け、且つ挿通孔１１の対向側（図２の下側）に軸線方向に切断した切断部１２を設けてなる。円筒状の内径は、ハンガー４の外径より５ｍｍ程度大きくし、間隙ｇを形成している。
【００１７】
このハンガーカバー１０をハンガー４に装着する場合は、図２（Ｂ）の２点鎖線で示すように切断部１２部分を、ゴムの弾性に抗して開き、ハンガー４を内径内に入れ、ハンガー４のハンガー支持金具４ｃを挿通孔１１に挿通し、この支持金具４ｃを接続手段９のケース９ａに取り付ける。装着されたハンガーカバーは、自らの復元力によって、切断部１２は、同図（Ｂ）のように互いに接合する。
【００１８】
この実施の形態においては、ハンガーカバー１０は取付手段から取り外さない限り、ハンガーから取り外すことができないので、介護装置の使用中に、このハンガーカバーは取り外れることがない。
【００１９】
図３はハンガーカバー１０の他の実施の形態で、簡単に取り付け、取り外しができるようにしたものである。同図において（Ａ）は正面図、（Ｂ）は側面図、（Ｃ）は展開図の概略を示している。
【００２０】
このハンガーカバー１０は、図２と材質，形状は同じであるが、切断部が異なる。切断部は、図３（Ａ）に示すように、挿通孔１１の中心部から周方向に半円状に切断した周切断部１３と、この周切断部１３の切断端一端のａ部より軸線方向に図の右側に切断した軸線方向切断部１４、他端のｂ部（図の裏側）から左側に切断した軸線方向切断部１５とから成る。これをゴムの弾性に抗して展開すると概略同図（Ｃ）のようになる。
【００２１】
このハンガーカバー１０をハンガー４に装着する場合は、軸線方向切断部１４，１５の部分をゴムの弾性に抗して開き、支持金具４ｃ部分でハンガー４を内径部に挿入し、支持金具４ｃを２分された挿通孔で挟み込む。
【００２２】
本実施の形態においては、ハンガー４の支持金具をケース９ａに取り付けた状態のままで、取り付け，取り外しが可能となる。
【００２３】
なお、ハンガーカバーの材質は、天然ゴムを使用した例について説明したが天然ゴムに限らず弾力性のある合成ゴムでもよい。
【００２４】
【発明の効果】
以上のように本発明は、ハンガーの略中央の部分に弾力性のあるゴム製のハンガーカバーを装着したので、被介護者の頭部が打つ付かっても衝撃は緩和され、傷害の恐れはなくなる。
【００２５】
また、ハンガーとハンガーカバーとの間に５ｍｍ程度の隙間を形成することで、更に、衝撃緩和効果が発揮される。
【００２６】
図２のハンガーカバーにおいては、ハンガーカバーをハンガーに装着してからケースを取り付けるので、介護装置の使用中は取り外れることはない。従って、安全で使用頻度の少ないものに適する。
【００２７】
また、図３のハンガーカバーは、介護装置の使用中に取り付け取り外しが簡単にできるので、使用頻度が高く、ハンガーカバーが汚れたり、損傷して交換の必要性の生じ易い使用条件をもった場所に適する。
【図面の簡単な説明】
【図１】本発明の介護装置のハンガー部の説明図。
【図２】本発明のハンガーカバーの第１の実施の形態の説明図。
【図３】本発明のハンガーカバーの第２の実施の形態の説明図。
【図４】介護装置の全体図。
【符号の説明】
１…レール
２…巻上装置
３…吊りベルト
４…ハンガー
５…操作スイッチ
６…接続手段
７，８…吊り具
９…接続手段
１０…ハンガーカバー
１１…挿通孔
１２，１３，１４，１５…切断部
【図１】
0003612884.tif 000002
【図２】
0003612884.tif 000003
【図３】
0003612884.tif 000004
【図４】
0003612884.tif 000005